(57)【要約】【課題】開口部を下端部に形成した吊下用展示袋において、吊り下げ用と載置用との展示方法を選択することができる吊下兼用展示袋を提供する。【解決手段】包装袋２の上部に吊下げ用のヘッダ部１を設ける。該包装袋２の下端部が開口し該下端部から延長された封止片３で開口部を封止する。包装袋２の側面に横マチ部２Ｂを形成する。前記封止片３にて横マチ部２Ｂの幅に沿って開口部を封止するように形成する。該封止片３に対向する開口部の下端部に、封止片３の内側に一部又は全体を重合せしめる補強片４を延長する。【選択図】図１
0003147336.tif 000002
【実用新案登録請求の範囲】
【請求項１】
包装袋の上部に吊下げ用のヘッダ部が設けられ、該包装袋の下端部が開口し該下端部から延長された封止片で開口部が封止され、商品を収納した状態で吊下げて展示する吊下用の展示袋であって、包装袋の側面に横マチ部が形成され、前記封止片にて横マチ部の幅に沿って開口部を封止するように形成され、該封止片に対向する開口部の下端部に、封止片の内側に一部又は全体を重合せしめる補強片を延長したことを特徴とする吊下兼用展示袋。
【請求項２】
前記包装袋は合成樹脂製のフィルムにて形成され、前記ヘッダ部から延長形成された前後面部と、該前後面部の左右に屈曲延長された横マチ部と、前後面部のいずれか一方の下端部から延長され、接着剤が塗布されたシール部を有する前記封止片と、前後面部の他方の下端部から延長された補強片とからなる請求項１記載の吊下兼用展示袋。
【請求項３】
前記ヘッダ部は、広告・宣伝等の表示物が表示されると共に、フック等の突起に係止せしめる係止孔が形成された請求項１又は２記載の吊下兼用展示袋。
【考案の詳細な説明】
【技術分野】
【０００１】
本考案は、たとえば、各種の商品を包装したまま吊り下げて展示し、あるいは棚等に載置して展示することができる吊下兼用展示袋に関する。
【背景技術】
【０００２】
一般に、商品を展示販売する際に、合成樹脂製の包装袋に商品を収納し、包装袋を吊下げることで展示する吊下用の展示袋が採用されている。この展示袋は、包装袋の上部に吊下げ用のヘッダ部が設けられたもので、ヘッダ部には、広告・宣伝等が表示されると共に、フック等の突起に係止せしめる係止孔が形成されており、商品を収納した状態で吊下げて展示するものである。特許文献１によると、この包装袋には、合掌袋、三方シール袋、ピロー包装袋などがある。
【０００３】
合掌袋は、２枚のフィルムを重ねて袋体を形成したもので、また、三方シール袋は、１枚のフィルムを折りたたみ、三方をシールして袋体を形成したものである。更に、ピロー袋は、袋部の側面にマチ部が形成されたもので、袋部の上端部と下端部とが封止されているので、商品を包装すると枕のように膨らむ袋である。
【０００４】
吊下用展示袋には、包装袋の上部に開口部を設けるタイプと、包装袋の下部に開口部を設けるタイプとがある。いずれの開口部も、開口部の一端からフィルムを延長し、この延長したフィルムで開口部を封止して接着剤で接着するように設けることが多い。そのため、包装袋の上部に開口部を設けるタイプは、開口部を施蓋するフィルム等がヘッド部に表示された宣伝等の妨げになり易い。したがって、吊下げたときのヘッダ部の展示効果を高めるには、開口部を包装袋の下端部に設けるタイプが適している。
【特許文献１】特開平１１−２３６０５８号公報
【考案の開示】
【考案が解決しようとする課題】
【０００５】
ところが、開口部を下部に設けるタイプの吊下用展示袋は、吊下げ用として展示した場合の展示効果は期待できても、これら合掌袋、三方シール袋、ピロー包装袋などの包装袋は、棚等に載置して展示することはできない構造になっている。すなわち、開口部の下端部から延長されたフィルムを包装袋に接着するので、包装袋の下端部は、すぼんだ状態にならざるを得ず、この包装袋を立てておくことができないからである。例えば、前記ピロー袋のごとく、側面にマチ部が形成された包装袋においても、下端部に設けた開口部を封止すると、包装袋の下端部がすぼんだ状態になるので、包装袋を自立させて展示することは困難になる。
【０００６】
また、包装袋の開口部を下端部に形成すると次のような課題が生じるものである。すなわち、下端部の開口部をマチ部の幅に合わせて封止すると、商品の全荷重が開口部を封止しているフィルムに集中し、商品自体の荷重にて封止した下端部が吊下げ展示中に開口するおそれがある。したがって、この状態で包装袋を吊下げると、開口部を封止しているフィルムが変形し、収納物が落下するおそれがあった。
【０００７】
一方、スーパーマーケットやコンビニエンスストア等の如く、商品の展示方法に合理化が望まれる環境では、展示方法が１つに限定されるよりも店の展示環境によって展示手段を選択できることが好ましい。しかしながら、従来の吊下用展示袋では、展示方法が吊下げ手段に限定されるので、店の環境に合わせて展示手段を選択することはできなかった。
【０００８】
そこで本考案は上述の課題を解消すべく案出されたもので、吊下用の展示袋において、吊り下げ用と載置用との展示方法を選択することができる吊下兼用展示袋の提供を目的とするものである。
【課題を解決するための手段】
【０００９】
本考案の第１の手段は、包装袋２の上部に吊下げ用のヘッダ部１が設けられ、該包装袋２の下端部が開口し該下端部から延長された封止片３で開口部を封止し、商品を収納した状態で吊下げて展示する吊下用の展示袋であって、包装袋２の側面に横マチ部２Ｂが形成され、前記封止片３にて横マチ部２Ｂの幅に沿って開口部を封止するように形成され、該封止片３に対向する開口部の下端部に、封止片３の内側に一部又は全体を重合せしめる補強片４を延長したことにある。
【００１０】
第２の手段の前記包装袋２は合成樹脂製のフィルムにて形成され、前記ヘッダ部１から延長形成された前後面部２Ａと、該前後面部２Ａの左右に屈曲延長された横マチ部２Ｂと、前後面部２Ａのいずれか一方の下端部から延長され、接着剤が塗布されたシール部３Ａを有する前記封止片３と、前後面部２Ａの他方の下端部から延長された補強片４とからなる。
【００１１】
第３の手段の前記ヘッダ部１は、広告・宣伝等が表示されると共に、フック等の突起に係止せしめる係止孔１Ａが形成されたことを課題解消のための手段とする。
【考案の効果】
【００１２】
本考案の請求項１の如く、包装袋２の側面に横マチ部２Ｂが形成され、前記封止片３にて横マチ部２Ｂの幅に沿って開口部を封止するように形成され、該封止片３に対向する開口部の下端部に、封止片３の内側に重合せしめる補強片４を延長したことにより、展示手段を吊り下げ用と載置用とから選択することができる。この結果、スーパーマーケットやコンビニエンスストア等の如く、商品の展示方法に合理化が望まれる環境での使用に極めて有効である。
【００１３】
請求項２のように、包装袋２は合成樹脂製のフィルムにて形成され、前記ヘッダ部１から延長形成された前後面部２Ａと、該前後面部２Ａの左右に屈曲延長された横マチ部２Ｂと、前後面部２Ａのいずれか一方の下端部から延長され、接着剤が塗布されたシール部３Ａを有する前記封止片３と、前後面部２Ａの他方の下端部から延長された補強片４とからなることから、厚みのある商品でも簡単に包装することができる上に、展示方法を選択することで、小さな展示スペースでも合理的に利用して展示することが可能である。
【００１４】
しかも、封止片３の内側に補強片４を重合せしめるだけで、優れた補強効果が得られる。この結果、補強片４が極めて簡単な構成でも、横マチ部２Ｂのある包装袋２に包装された厚みのある商品を確実に支持することができる。また、このように、厚みのある商品を包装した状態でも、吊り下げたり載置したりする展示方法を選択することができるものである。
【００１５】
請求項３の如く、ヘッダ部１に広告・宣伝等を表示するので、包装袋２の開口部が下端部に形成されていることとも相俟って、吊り下げ手段又は載置手段の展示方法のいずれを選択した場合でも、有効な広告・宣伝等になる。
【００１６】
このように本考案によると、開口部を下端部に形成した吊下用の展示袋において、吊り下げ用と載置用との展示方法を選択することができ、小さな展示スペースでも合理的に利用することが可能になり、しかも、吊り下げ手段又は載置手段の展示方法のいずれを選択した場合でも、有効な広告・宣伝等ができるなどといった有益な種々の効果を奏するものである。
【考案を実施するための最良の形態】
【００１７】
本考案の最良の形態は、包装袋２の上部に吊下げ用のヘッダ部１を設ける。該包装袋２の下端部が開口し該下端部から延長された封止片３で開口部を封止する。包装袋２の側面に横マチ部２Ｂを形成し、前記封止片３にて横マチ部２Ｂの幅に沿って開口部を封止するように形成する。該封止片３に対向する開口部の下端部に、封止片３の内側に重合せしめる補強片４を延長する。包装袋２は合成樹脂製のフィルムにて形成される。包装袋２の構成は、ヘッダ部１から延長形成された前後面部２Ａと、該前後面部２Ａの左右に屈曲延長された横マチ部２Ｂと、前後面部２Ａのいずれか一方の下端部から延長され、接着剤が塗布されたシール部３Ａを有する前記封止片３と、前後面部２Ａの他方の下端部から延長された補強片４とからなる。ヘッダ部１は、広告・宣伝等が表示されると共に、フック等の突起に係止せしめる係止孔１Ａを形成することで、当初の目的を達成するものである。
【実施例】
【００１８】
本考案展示袋は、商品を収納した状態で吊下げて展示し（図４参照）、あるいは商品を収納した状態で置いて展示することができる展示袋であり（図５参照）、主な構成は、ヘッダ部１、包装袋２、封止片３、補強片４からなる（図１参照）。
【００１９】
ヘッダ部１は、包装袋２の上部に形成され、包装袋２を吊下げる際に使用する部材である（図４参照）。このヘッダ部１に、広告・宣伝等が表示される。図示のヘッダ部１は、フック等の突起に係止せしめる係止孔１Ａが形成されている。この係止孔１Ａは、ヘッダ部１に表示した広告・宣伝等を切り抜いて形成することになるので、広告・宣伝等の妨げになる場合もある。そのため、ヘッダ部１を透明クリップなどで挟着して吊下げて展示する場合は、係止孔１Ａを開穿しなくてもよい。
【００２０】
包装袋２は、下端部に設けた開口部から商品を収納する袋部材である（図１参照）。図示の包装袋２は、合成樹脂製のフィルムにて形成された前後面部２Ａと横マチ部２Ｂとからなり、更に、下端部の開口部から封止片３と補強片４とが延長されている。すなわち、前後面部２Ａは、ヘッダ部１から延長されており、この前後面部２Ａの左右に横マチ部２Ｂが屈曲延長されている。
【００２１】
包装袋２の下端に設けた開口部は、横マチ部２Ｂの幅に合わせて封止片３にて封止するように設けている（図２参照）。この封止片３は、前後面部２Ａのいずれか一方の下端部から延長されたもので、横マチ部２Ｂによって広がった包装袋２の開口部を広がった状態で封止するものである。また、この横マチ部２Ｂの先端部内側に、接着剤が塗布されたシール部３Ａを設けている（図１参照）。このシール部３Ａは、例えば両面接着テープなどを使用し、商品収納後、この封止片３で包装袋２の開口部を封止し、シール部３Ａで前後面部２Ａのいずれか外側に貼り付けるものである。
【００２２】
補強片４は、封止片３の内側に重合する部材で、前後面部２Ａの他方の下端部、すなわち封止片３に対向する開口部の下端部から延長されている（図１参照）。この補強片４は封止片３の内側に一部又は全体を重合せしめることで、封止片３の封止強度を高めるものである（図３参照）。図示の補強片４は、封止片３の一部に重合するもの（同図（イ）参照）、封止片３に重合して開口部の半分までを覆う長さに形成したもの（同図（ロ）参照）、封止片３の開口部を覆う全体に重合する長さに形成したもの（同図（ハ）参照）など、補強片４の長さや幅などは、任意に変更できるものである。
【００２３】
本考案の使用方法は、包装袋２の下端に設けた開口部から商品を収納し、補強片４を商品側に折り込んだ後に封止片３にて開口部を封止し、シール部３Ａで固定する。そして、商品を吊下げて展示する場合は、ヘッダ部１に形成した係止孔１Ａに係止フック等を挿入して係止し（図４参照）、あるいは任意のクリップ等でヘッダ部１を挟着した状態で吊下げるものである（図示せず）。一方、商品を載置して展示する場合は、封止片３を底部として立設して展示する（図５参照）。
【００２４】
本考案で使用する合成樹脂製フィルムは、例えば、PP、OPPフィルム、CPPフィルム、PEフィルム、A-PETフィルム、PETフィルム、NYフィルムなど、任意の合成樹脂製フィルムの使用が可能である。
【００２５】
尚、図示例の各構成は、本考案の一実施例に過ぎず、ヘッダ部１や包装袋２の形状・サイズの変更、封止片３や補強片４の形状・サイズの変更、係止孔１Ａの有無、材質の変更などは、収納する商品Ｐの種類や形態に応じ、本考案の要旨を変更しない範囲で自由に選択できるものである。
【図面の簡単な説明】
【００２６】
【図１】本考案の一実施例を示す斜視図である。
【図２】本考案による包装状態を示す斜視図である。
【図３】（イ）乃至（ハ）は、本考案の補強片の実施例を示す略側面図である。
【図４】本考を吊下げて展示する状態を示す斜視図である。
【図５】本考を載置して展示する状態を示す斜視図である。
【符号の説明】
【００２７】
１  ヘッダ部
１Ａ  係止孔
２  包装袋
２Ａ  前後面部
２Ｂ  横マチ部
３  封止片
３Ａ  シール部
４  補強片
【図１】
0003147336.tif 000003
【図２】
0003147336.tif 000004
【図３】
0003147336.tif 000005
【図４】
0003147336.tif 000006
【図５】
0003147336.tif 000007